【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
ゴルフスイング中に生成されるゴルフスイング動力学情報を検出するために設けられた第1のセンサシステムであって、該第1のセンサシステムの少なくとも一部分がゴルフスイング過程でユーザの第1の足によって行使される力を判定するための力感知システムを含む、第1のセンサシステムと、
ゴルフボールが打たれるときのボール飛行情報を検出するための第2のセンサシステムと、
スイング解析システムにデータを送信するための送信システムであって、該送信システムによって送信されるデータが、該第1のセンサシステムおよび該第2のセンサシステムによって収集される情報に対応するか、または該情報から導出される、送信システムと、
ゴルフスイングフィードバックまたは解析情報を提供するための出力システムであって、該ゴルフスイングフィードバックまたは該解析情報のうちの少なくともいくらかが、該スイング解析システムによって生成されるか、または該スイング解析システムによって生成されるデータから導出される、出力システムと
を含む、ゴルフスイング評価システム。
【請求項２】
力感知システムの少なくとも一部分がゴルフスイング中に装着することになるシューズに設けられている、請求項1記載のシステム。
【請求項３】
力感知システムの少なくとも一部分が、ユーザがゴルフスイング中にその上に立つ表面の一部として設けられている、請求項1記載のシステム。
【請求項４】
力感知システムがゴルフスイング過程でユーザの第2の足によって行使される力をさらに判定する、請求項1記載のシステム。
【請求項５】
力感知システムが、（a）ゴルフスイング過程でユーザの第1の足によって該第1の足の複数の領域で行使される力、および（b）ゴルフスイング過程でユーザの第2の足によって該第2の足の複数の領域で行使される力を判定する、請求項4記載のシステム。
【請求項６】
力感知システムの第1の部分が、ゴルフスイング中にユーザが装着する第1のシューズに設けられており、該力感知システムの第2の部分が、ゴルフスイング中に該ユーザが装着する第2のシューズに設けられている、請求項4または5に記載のシステム。
【請求項７】
力感知システムがゴルフスイング中にユーザがその上に立つ表面の一部として設けられている、請求項4または5に記載のシステム。
【請求項８】
第2のセンサシステムの少なくとも一部分が、初期ボール打ち出し角度、初期ボール打ち出しの速さ、初期ボール打ち出し方向、初期ボール打ち出しスピンの一つまたは複数の特性、ボールコンタクト時のクラブヘッドの速さ、ボールコンタクト時のクラブヘッド移動経路方向、ボール飛距離、ボール転がり距離、総ボール移動距離、中心からのボール飛行偏差、ボール飛行曲率、およびスマッシュファクターからなる群より選択される少なくとも一つのメンバーに関するデータを提供するための打ち出しモニタシステムを含む、請求項1記載のシステム。
【請求項９】
第2のセンサシステムの少なくとも一部分がゴルフボールヒッティング区画に設けられている、請求項1記載のシステム。
【請求項１０】
スイング解析システムが、ゴルフスイング動力学情報およびボール飛行情報のうちの少なくとも一つからゴルフスイングフィードバックまたは解析情報を確定するためのコンピュータ処理システムを含む、請求項1記載のシステム。
【請求項１１】
複数のゴルフクラブを保持するための開口容器を含むゴルフバッグと、
（a）ゴルフスイング中に生成されるゴルフスイング動力学情報、および（b）ゴルフボールが打たれるときのボール飛行情報のうちの少なくとも一つに関するデータを受け取るための、該ゴルフバッグと結合されたデータ入力システムと
を含む、ゴルフスイング評価システム。
【請求項１２】
スイング解析システムにデータを送信するための、ゴルフバッグと結合された送信システムであって、該送信システムによって送信されるデータが、データ入力システムによって受け取られるデータに対応するか、または該受け取られるデータから導出される、送信システム
をさらに含む、請求項11記載のゴルフスイング評価システム。
【請求項１３】
スイング解析システムによって生成されるかまたはスイング解析システムから導出されるゴルフスイングフィードバックまたは解析情報を受信するための、ゴルフバッグと結合されたデータ受信システム
をさらに含む、請求項12記載のゴルフスイング評価システム。
【請求項１４】
データ受信システムで受信されるゴルフスイングフィードバックまたは解析情報に基づいてユーザ知覚可能出力を提供するための出力システム
をさらに含む、請求項13記載のゴルフスイング評価システム。
【請求項１５】
出力システムがゴルフバッグと結合されている、請求項14記載のゴルフスイング評価システム。
【請求項１６】
ゴルフバッグに対する目標とする初期ゴルフボール飛行方向に関する情報を提供するための、該ゴルフバッグと結合された位置合わせシステム
をさらに含む、請求項11記載のシステム。
【請求項１７】
ゴルフバッグに対するゴルフボール打ち出し位置に関する情報を提供するための、該ゴルフバッグと結合された位置合わせシステム
をさらに含む、請求項11記載のシステム。
【請求項１８】
ゴルフバッグに対するスタンスセットアップ位置に関する情報を提供するための、該ゴルフバッグと結合された位置合わせシステム
をさらに含む、請求項11記載のシステム。
【請求項１９】
データ入力システムの少なくともある部分が、第1のユーザのスタンス位置、ゴルフボール打ち出し位置、または目標とする初期ゴルフボール飛行方向の少なくとも一つに対して適正に位置決めされていることを保証する情報を提供するための、ゴルフバッグと結合された位置合わせシステム
をさらに含む、請求項11記載のシステム。
【請求項２０】
データ入力システムが、シューズ、ゴルフクラブ、または衣料品からなる群より選択される少なくとも1つのメンバーから送信されるデータを受信する、請求項11記載のシステム。
【請求項２１】
データ入力システムがゴルフスイング中に生成されるゴルフスイング動力学情報に関するデータを受け取る、請求項11記載のシステム。
【請求項２２】
データ入力システムが、ゴルフボールが打たれるときのボール飛行情報に関するデータを受け取る、請求項11記載のシステム。
【請求項２３】
データ入力システムがゴルフスイング中に生成されるゴルフスイング動力学情報およびゴルフボールが打たれるときのボール飛行情報に関するデータを受け取る、請求項11記載のシステム。
【手続補正２】
【補正対象書類名】明細書
【補正対象項目名】００２０
【補正方法】変更
【補正の内容】
【００２０】
[本発明1001]
初期ボール打ち出し位置または目標とする初期ボール飛行方向のうちの少なくとも一つに対する初期スタンス位置に関する情報を提供するためのゴルファー位置決めシステムと、
ゴルフスイング中に生成されるゴルフスイング動力学情報を検出するための、第1の位置に設けられた第1のセンサシステムと、
ゴルフボールが打たれるときのボール飛行情報を検出するための、該第1の位置に設けられた第2のセンサシステムと、
該第1の位置から離れた位置に設けられたスイング解析システムにデータを送信するための送信システムであって、該送信システムによって送信されるデータが、該第1のセンサシステムおよび該第2のセンサシステムによって収集される情報に対応するか、または該情報から導出される、送信システムと、
該第1の位置でゴルフスイングフィードバックまたは解析情報を提供するための出力システムであって、該第1の位置で提供されるゴルフスイングフィードバックまたは解析情報のうちの少なくともいくらかが、該スイング解析システムによって生成されるか、または該スイング解析システムによって生成されるデータから導出される、出力システムと
を含む、ゴルフスイング評価システム。
[本発明1002]
個別スイングのための初期スタンス位置に関して提供される情報が、少なくとも一部は該個別スイングに使用されるゴルフクラブに依存する、本発明1001のシステム。
[本発明1003]
個別スイングのための初期スタンス位置に関して提供される情報が、少なくとも一部は該個別スイングを行う人の一つまたは複数の身体サイズ特性に依存する、本発明1001のシステム。
[本発明1004]
第1のセンサシステムの少なくとも一部分がゴルフボールヒッティング区画に設けられている、本発明1001のシステム。
[本発明1005]
第2のセンサシステムの少なくとも一部分が、初期ボール打ち出し角度、初期ボール打ち出しの速さ、初期ボール打ち出し方向、初期ボール打ち出しスピンの一つまたは複数の特性、ボールコンタクト時のクラブヘッドの速さ、ボールコンタクト時のクラブヘッド移動経路方向、ボール飛距離、ボール転がり距離、総ボール移動距離、中心からのボール飛行偏差、飛行中のボール曲率、およびスマッシュファクターからなる群より選択される少なくとも一つのメンバーに関するデータを提供するための打ち出しモニタシステムを含む、本発明1001のシステム。
[本発明1006]
第2のセンサシステムの少なくとも一部分がゴルフボールヒッティング区画に設けられている、本発明1001のシステム。
[本発明1007]
送信システムの少なくとも一部分が、第1のユーザがゴルフボールを打つときにその上に立つ表面の一部として設けられている、本発明1001のシステム。
[本発明1008]
送信システムの少なくとも一部分がゴルフボールヒッティング区画に設けられている、本発明1001のシステム。
[本発明1009]
送信システムの少なくとも一部分がパーソナルコンピュータに設けられている、本発明1001のシステム。
[本発明1010]
出力システムの少なくとも一部分が、第1の位置でゴルフスイングフィードバックまたは解析情報を提供するための表示画面を含む、本発明1001のシステム。
[本発明1011]
ゴルファー位置決めシステムが、初期スタンス位置情報を提供するために光を投射する少なくとも一つの発光装置を含む、本発明1001のシステム。
[本発明1012]
ゴルファー位置決めシステムが、初期スタンス位置情報を提供するためにレーザビームを投射する少なくとも一つのレーザ発生装置を含む、本発明1001のシステム。
[本発明1013]
ゴルファー位置決めシステムが、第1のユーザがゴルフボールを打つときにその上に立つ表面のところで見える一連の光を含む、本発明1001のシステム。
[本発明1014]
ゴルファー位置決めシステムの少なくとも一部分が、ユーザがゴルフボールを打つときにその上に立つ表面の一部として設けられている、本発明1001のシステム。
[本発明1015]
ゴルファー位置決めシステムの少なくとも一部分がゴルフボールヒッティング区画に設けられている、本発明1001のシステム。
[本発明1016]
目標とする初期ゴルフボール飛行方向に関する情報を提供するための位置合わせシステム
をさらに含む、本発明1001のシステム。
[本発明1017]
第2のセンサシステムの少なくともある部分の位置に対するゴルフボール打ち出し位置に関する情報を提供するための位置合わせシステム
をさらに含む、本発明1001のシステム。
[本発明1018]
第1のセンサシステムまたは第2のセンサシステムの少なくとも一つが第1のユーザのスタンス位置またはゴルフボール打ち出し位置の少なくとも一つに対して適正に位置決めされていることを保証する情報を提供するための位置合わせシステム
をさらに含む、本発明1001のシステム。
[本発明1019]
ゴルフスイング中に生成されるゴルフスイング動力学情報を検出するために設けられた第1のセンサシステムであって、該第1のセンサシステムの少なくとも一部分がゴルフスイング過程でユーザの第1の足によって行使される力を判定するための力感知システムを含む、第1のセンサシステムと、
ゴルフボールが打たれるときのボール飛行情報を検出するための第2のセンサシステムと、
スイング解析システムにデータを送信するための送信システムであって、該送信システムによって送信されるデータが、該第1のセンサシステムおよび該第2のセンサシステムによって収集される情報に対応するか、または該情報から導出される、送信システムと、
ゴルフスイングフィードバックまたは解析情報を提供するための出力システムであって、該ゴルフスイングフィードバックまたは該解析情報のうちの少なくともいくらかが、該スイング解析システムによって生成されるか、または該スイング解析システムによって生成されるデータから導出される、出力システムと
を含む、ゴルフスイング評価システム。
[本発明1020]
力感知システムの少なくとも一部分がゴルフスイング中に装着することになるシューズに設けられている、本発明1019のシステム。
[本発明1021]
力感知システムの少なくとも一部分が、ユーザがゴルフスイング中にその上に立つ表面の一部として設けられている、本発明1019のシステム。
[本発明1022]
力感知システムがゴルフスイング過程でユーザの第2の足によって行使される力をさらに判定する、本発明1019のシステム。
[本発明1023]
力感知システムの第1の部分がゴルフスイング中にユーザが装着する第1のシューズに設けられており、該力感知システムの第2の部分がゴルフスイング中に該ユーザが装着する第2のシューズに設けられている、本発明1022のシステム。
[本発明1024]
力感知システムが、ゴルフスイング中にユーザがその上に立つ表面の一部として設けられている、本発明1022のシステム。
[本発明1025]
力感知システムが、（a）ゴルフスイング過程でユーザの第1の足によって該第1の足の複数の領域で行使される力、および（b）ゴルフスイング過程でユーザの第2の足によって該第2の足の複数の領域で行使される力を判定する、本発明1022のシステム。
[本発明1026]
力感知システムの第1の部分が、ゴルフスイング中にユーザが装着する第1のシューズに設けられており、該力感知システムの第2の部分が、ゴルフスイング中に該ユーザが装着する第2のシューズに設けられている、本発明1025のシステム。
[本発明1027]
力感知システムがゴルフスイング中にユーザがその上に立つ表面の一部として設けられている、本発明1025のシステム。
[本発明1028]
第2のセンサシステムの少なくとも一部分が、初期ボール打ち出し角度、初期ボール打ち出しの速さ、初期ボール打ち出し方向、初期ボール打ち出しスピンの一つまたは複数の特性、ボールコンタクト時のクラブヘッドの速さ、ボールコンタクト時のクラブヘッド移動経路方向、ボール飛距離、ボール転がり距離、総ボール移動距離、中心からのボール飛行偏差、ボール飛行曲率、およびスマッシュファクターからなる群より選択される少なくとも一つのメンバーに関するデータを提供するための打ち出しモニタシステムを含む、本発明1019のシステム。
[本発明1029]
第2のセンサシステムの少なくとも一部分がゴルフボールヒッティング区画に設けられている、本発明1019のシステム。
[本発明1030]
スイング解析システムが、ゴルフスイング動力学情報およびボール飛行情報のうちの少なくとも一つからゴルフスイングフィードバックまたは解析情報を確定するためのコンピュータ処理システムを含む、本発明1019のシステム。
[本発明1031]
複数のゴルフクラブを保持するための開口容器を含むゴルフバッグと、
（a）ゴルフスイング中に生成されるゴルフスイング動力学情報、および（b）ゴルフボールが打たれるときのボール飛行情報のうちの少なくとも一つに関するデータを受け取るための、該ゴルフバッグと結合されたデータ入力システムと
を含む、ゴルフスイング評価システム。
[本発明1032]
スイング解析システムにデータを送信するための、ゴルフバッグと結合された送信システムであって、該送信システムによって送信されるデータが、データ入力システムによって受け取られるデータに対応するか、または該受け取られるデータから導出される、送信システム
をさらに含む、本発明1031のゴルフスイング評価システム。
[本発明1033]
スイング解析システムによって生成されるかまたはスイング解析システムから導出されるゴルフスイングフィードバックまたは解析情報を受信するための、ゴルフバッグと結合されたデータ受信システム
をさらに含む、本発明1032のゴルフスイング評価システム。
[本発明1034]
データ受信システムで受信されるゴルフスイングフィードバックまたは解析情報に基づいてユーザ知覚可能出力を提供するための出力システム
をさらに含む、本発明1033のゴルフスイング評価システム。
[本発明1035]
出力システムがゴルフバッグと結合されている、本発明1034のゴルフスイング評価システム。
[本発明1036]
ゴルフバッグに対する目標とする初期ゴルフボール飛行方向に関する情報を提供するための、該ゴルフバッグと結合された位置合わせシステム
をさらに含む、本発明1031のシステム。
[本発明1037]
ゴルフバッグに対するゴルフボール打ち出し位置に関する情報を提供するための、該ゴルフバッグと結合された位置合わせシステム
をさらに含む、本発明1031のシステム。
[本発明1038]
ゴルフバッグに対するスタンスセットアップ位置に関する情報を提供するための、該ゴルフバッグと結合された位置合わせシステム
をさらに含む、本発明1031のシステム。
[本発明1039]
データ入力システムの少なくともある部分が、第1のユーザのスタンス位置、ゴルフボール打ち出し位置、または目標とする初期ゴルフボール飛行方向の少なくとも一つに対して適正に位置決めされていることを保証する情報を提供するための、ゴルフバッグと結合された位置合わせシステム
をさらに含む、本発明1031のシステム。
[本発明1040]
データ入力システムがシューズから送信されるデータを受信する、本発明1031のシステム。
[本発明1041]
データ入力システムがゴルフクラブから送信されるデータを受信する、本発明1031のシステム。
[本発明1042]
データ入力システムが衣料品から送信されるデータを受信する、本発明1031のシステム。
[本発明1043]
データ入力システムがゴルフスイング中に生成されるゴルフスイング動力学情報に関するデータを受け取る、本発明1031のシステム。
[本発明1044]
データ入力システムが、ゴルフボールが打たれるときのボール飛行情報に関するデータを受け取る、本発明1031のシステム。
[本発明1045]
データ入力システムがゴルフスイング中に生成されるゴルフスイング動力学情報およびゴルフボールが打たれるときのボール飛行情報に関するデータを受け取る、本発明1031のシステム。
[本発明1046]
ゴルフコース上でゴルフ用具を運ぶためのゴルフカートと、
（a）ゴルフスイング中に生成されるゴルフスイング動力学情報、および（b）ゴルフボールが打たれるときのボール飛行情報のうちの少なくとも一つに関するデータを受け取るための、該ゴルフカートと結合されたデータ入力システムと
を含む、ゴルフスイング評価システム。
[本発明1047]
スイング解析システムにデータを送信するための、ゴルフカートと結合された送信システムであって、該送信システムによって送信されるデータがデータ入力システムによって受け取られるデータに対応するか、または該受け取られるデータから導出される、送信システム
をさらに含む、本発明1046のゴルフスイング評価システム。
[本発明1048]
スイング解析システムによって生成されるかまたはスイング解析システムから導出されるゴルフスイングフィードバックまたは解析情報を受信するための、ゴルフカートと結合されたデータ受信システム
をさらに含む、本発明1047のゴルフスイング評価システム。
[本発明1049]
データ受信システムで受信されるゴルフスイングフィードバックまたは解析情報に基づいてユーザ知覚可能出力を提供するための出力システム
をさらに含む、本発明1048のゴルフスイング評価システム。
[本発明1050]
出力システムがゴルフカートと結合されている、本発明1049のゴルフスイング評価システム。
[本発明1051]
ゴルフカートが自走式ゴルフカートである、本発明1046のゴルフスイング評価システム。
[本発明1052]
ゴルフカートが、ゴルファーによって引かれるかまたは押されるカートである、本発明1046のゴルフスイング評価システム。
[本発明1053]
ゴルフカートに対する目標とする初期ゴルフボール飛行方向に関する情報を提供するための、該ゴルフカートと結合された位置合わせシステム
をさらに含む、本発明1046のシステム。
[本発明1054]
ゴルフカートに対するゴルフボール打ち出し位置に関する情報を提供するための、該ゴルフカートと結合された位置合わせシステム
をさらに含む、本発明1046のシステム。
[本発明1055]
ゴルフカートに対するスタンスセットアップ位置に関する情報を提供するための、該ゴルフカートと結合された位置合わせシステム
をさらに含む、本発明1046のシステム。
[本発明1056]
データ入力システムの少なくともある部分が、第1のユーザのスタンス位置、ゴルフボール打ち出し位置、または目標とする初期ゴルフボール飛行方向の少なくとも一つに対して適正に位置決めされていることを保証する情報を提供するための、ゴルフカートと結合された位置合わせシステム
をさらに含む、本発明1046のシステム。
[本発明1057]
データ入力システムがシューズから送信されるデータを受信する、本発明1046のシステム。
[本発明1058]
データ入力システムがゴルフクラブから送信されるデータを受信する、本発明1046のシステム。
[本発明1059]
データ入力システムが衣料品から送信されるデータを受信する、本発明1046のシステム。
[本発明1060]
データ入力システムがゴルフスイング中に生成されるゴルフスイング動力学情報に関するデータを受け取る、本発明1046のシステム。
[本発明1061]
データ入力システムが、ゴルフボールが打たれるときのボール飛行情報に関するデータを受け取る、本発明1046のシステム。
[本発明1062]
データ入力システムが、ゴルフスイング中に生成されるゴルフスイング動力学情報およびゴルフボールが打たれるときのボール飛行情報に関するデータを受け取る、本発明1046のシステム。
本発明の上記およびその他の局面は、以下に示す本発明の詳細な説明を読めばさらに明らかになるであろう。